(57)【要約】【課題】会場の使用用途に応じた温度設定値を設定し、快適な会場環境を確保する。【解決手段】会場の使用用途別に温度設定値を記憶する使用用途パターン記憶部１３ｂと、スケジュール表画面を記憶する画面記憶部１３ｄと、各会場毎に使用用途及び利用時間を受付ける受付けデータ記憶部１３ａと、スケジュール表画面を読み出して表示し、前記受付けた会場毎の使用用途に基づき、前記使用用途パターン記憶部１３ｂから使用用途及び温度設定値を取り出して前記スケジュール表画面の所定エリアに書き込む手段（図３のＳ３〜Ｓ５）とこの書き込み後に前記受付けた利用時間に基づき、該当する会場の利用時間帯を表すバーを作成し表示する運転スケジュール作成手段（図４のＳ５）とを有する運転スケジュール作成処理部１４ａとを備え、前記該当する会場の利用時間時に前記使用用途に応じた温度設定値を空調機に設定する空調制御システムである。【選択図】図１
2008170065.tif 000002
【特許請求の範囲】
【請求項１】
複数の会場の利用状況に応じて会場毎に温度設定値及び運転スケジュールを作成し、各会場の空調温度を制御する空調機に提供する空調制御システムにおいて、
会場の使用用途別に温度設定値を記憶する使用用途パターン記憶手段と、
スケジュール表画面を記憶する画面記憶手段と、
各会場毎に使用用途及び利用時間を受付ける受付け手段と、
前記画面記憶手段からスケジュール表画面を読み出して表示し、前記受付け手段により受付けた会場毎の使用用途に基づき、前記使用用途パターン記憶手段から使用用途及び温度設定値を取り出して前記スケジュール表画面の所定エリアに書き込む手段と、
この書き込み後に前記受付け手段により受付けた利用時間に基づき、該当する会場の利用時間帯を表すバーを作成し表示する運転スケジュール作成手段とを備え、
前記該当する会場の利用時間時に前記使用用途に応じた温度設定値を空調機に設定し、当該該当する会場の温度を制御することを特徴とする空調制御システム。
【請求項２】
複数の会場の利用状況に応じて会場毎に温度設定値及び運転スケジュールを作成し、各会場の空調温度を制御する空調機に提供する空調制御システムにおいて、
会場の使用用途別に温度設定値及びカラーデータを記憶する使用用途パターン記憶手段と、
各会場毎に使用用途及び利用時間を受付ける受付け手段と、
月単位のスケジュール表画面を記憶する画面記憶手段と、
前記画面記憶手段から月単位のスケジュール表画面を読み出して表示し、前記受付け手段により受付けた会場毎及び利用月毎に使用用途及び利用時間に基づき、前記カラーデータを用い、前記スケジュール表画面の利用日に対応させて前記利用時間帯にわたって色付きバーを作成し表示する運転スケジュール作成手段とを備え、
前記該当する会場の利用時間時に前記使用用途パターン記憶手段から色付きバーのカラーデータに対応する温度設定値を取り出して前記空調機に設定し、当該該当する会場の温度を制御することを特徴とする空調制御システム。
【請求項３】
複数の会場の利用状況に応じて会場毎に温度設定値及び運転スケジュールを作成し、各会場の空調温度を制御する空調機に提供する空調制御システムにおいて、
会場の使用用途別に温度設定値を記憶する使用用途パターン記憶手段と、
スケジュール表画面を記憶する画面記憶手段と、
複数の着衣量パターン及び複数の活動量パターンを記憶する快適性指標要素記憶手段と、
各会場毎に使用用途及び利用時間を受付ける受付け手段と、
前記画面記憶手段からスケジュール表画面を読み出して表示し、前記受付け手段により受付けた会場毎の使用用途に基づき、前記使用用途パターン記憶手段から会場毎の使用用途及び温度設定値を取り出して前記スケジュール表画面の所定エリアに書き込む手段と、
前記快適性指標要素記憶手段から何れか１つの着衣量パターン及び活動量パターンを選択し前記スケジュール表画面の所定エリアに書き込む手段と、
この書き込み後に前記受付け手段により受付けた利用時間に基づき、該当会場の利用時間帯を表すバーを作成し表示する運転スケジュール作成手段とを備えたことを特徴とする空調制御システム。
【請求項４】
請求項３に記載の空調制御システムにおいて、
前記各会場ごとに前記着衣量及び活動量を除く他の快適性指標要素を検出するセンサ群と、前記センサ群から得られる快適性指標要素と前記選択された１つの着衣量パターン及び活動量パターンとを用いて、快適性指標となるＰＭＶ値を算出するＰＭＶ値算出手段と、このＰＭＶ値算出手段で算出されたＰＭＶ値に基づいて前記スケジュール表画面に書き込んだ温度設定値を修正して前記空調機に設定する手段と、前記バー表示された利用時間の経過するに従って反転または異なる色でバー表示する手段とをさらに付加したことを特徴とする空調制御システム。
【発明の詳細な説明】
【技術分野】
【０００１】
本発明は、ホテルや貸しホール付き会館等のごとき、各会場が異なる使用用途，例えば宴会，結婚式，会議等に利用する場合に空調温度制御を行う空調制御システムに関する。
【背景技術】
【０００２】
現在、宴会場や多目的ホールを備えたホテル等では、中央監視室内に空調機と監視装置が設置され、お客から特定会場の借り受け予約を受付けたとき、オペレータが監視装置の表示部にスケジュール表を表示し、当該運転スケジュール表に温度設定値を書き込むとともに、各会場の利用時間をバー表示した運転スケジュールを作成する。監視装置は、該当会場の利用当日になると、運転スケジュールに設定される温度設定値を空調機に設定する。ここで、空調機は、設定された温度設定値に従って例えば温空気各会場に送風し、会場ごとに設定温度となるように空調温度制御を行うものである。
【０００３】
従来の他のホテル空調制御システムとしては、外気の温度を調整して各客室へ供給する外調機と客室内の温度を調整する各室内に設置される各室内機とが設けられ、外調機が各客室の使用状況と当該外調機の運転モードと各室内機の運転モードを考慮しながら、各室内機への給気温度設定値を増減制御する構成である（特許文献１）。
【特許文献１】特開平０９−０４２７３９号
【発明の開示】
【発明が解決しようとする課題】
【０００４】
しかしながら、以上のような空調制御システムにおいては、オペレータ又は運転モードに応じて温度設定値を設定しているが、温度設定値は、各会場の使用用途の他、人の着衣状態や活動状態などによって異なるものであり、同じ会場であっても、使用用途等に応じて暖かいとか、寒いといった問題が発生する。
【０００５】
本来、温度設定値はその都度状況に応じて変えるべきであるが、その状況を考慮してこまめに温度設定値を変更することは行われていない。予め設定される温度設定値と室内温度との偏差に応じて、会場内の温度制御を実施するだけである。
【０００６】
よって、以上のような空調制御システムでは、使用用途に応じて、会場内の温度環境にバラツキが生じ、暑い／寒いなどのクレームやエネルギーなどが無駄に消費される問題がある。
【０００７】
このような不具合を回避するためには、監視員が会場の使用用途に応じて、その都度温度設定値を変更することが望ましいが、多数の宴会場等を持つ建物の場合には監視員に多大の負担を強いることとなる。また、監視員に負担がかかってくるに従い、人件費はね返ってくる問題がある。
【０００８】
一方、後者の空調制御システムに限って言えば、お客は宿泊が目的であり、客室ごとに温度設定値を変更しなければならない要求は少ない。特に、各室内ごとに室内機が設置されている場合、宿泊客が適宜な温度に変更できる場合が多く、多数の人からクレームがつくといった問題も少ない。
【０００９】
本発明は上記事情にかんがみてなされたもので、会場の使用用途に応じて自動的に温度設定値を設定し、快適な会場環境を確保する空調制御システムを提供することを目的とする。
【課題を解決するための手段】
【００１０】
（１）  上記課題を解決するために、複数の会場の利用状況に応じて会場毎に温度設定値及び運転スケジュールを作成し、各会場の空調温度を制御する空調機に提供する本発明に係る空調制御システムは、会場の使用用途別に温度設定値を記憶する使用用途パターン記憶手段と、スケジュール表画面を記憶する画面記憶手段と、各会場毎に使用用途及び利用時間を受付ける受付け手段と、前記画面記憶手段からスケジュール表画面を読み出して表示し、前記受付け手段により受付けた会場毎の使用用途に基づき、前記使用用途パターン記憶手段から使用用途及び温度設定値を取り出して前記スケジュール表画面の所定エリアに書き込む手段と、この書き込み後に前記受付け手段により受付けた利用時間に基づき、該当する会場の利用時間帯を表すバーを作成し表示する運転スケジュール作成手段とを備え、前記該当する会場の利用時間時に前記使用用途に応じた温度設定値を空調機に設定し、当該該当する会場の温度を制御する空調制御システムである。
【００１１】
また、本発明に係る空調制御システムは、会場の使用用途別に温度設定値及びカラーデータを記憶する使用用途パターン記憶手段と、各会場毎に使用用途及び利用時間を受付ける受付け手段と、月単位のスケジュール表画面を記憶する画面記憶手段と、前記画面記憶手段から月単位のスケジュール表画面を読み出して表示し、前記受付け手段により受付けた会場毎及び利用月毎に使用用途及び利用時間に基づき、前記カラーデータを用い、前記スケジュール表画面の利用日に対応させて前記利用時間帯にわたって色付きバーを作成し表示する運転スケジュール作成手段とを備え、前記該当する会場の利用時間時に前記使用用途パターン記憶手段から色付きバーのカラーデータに対応する温度設定値を取り出して前記空調機に設定し、当該該当する会場の温度を制御する空調制御システムである。
【００１２】
（２）  さらに、本発明に係る空調制御システムは、会場の使用用途別に温度設定値を記憶する使用用途パターン記憶手段と、スケジュール表画面を記憶する画面記憶手段と、複数の着衣量パターン及び複数の活動量パターンを記憶する快適性指標要素記憶手段と、各会場毎に使用用途及び利用時間を受付ける受付け手段と、前記画面記憶手段からスケジュール表画面を読み出して表示し、前記受付け手段により受付けた会場毎の使用用途に基づき、前記使用用途パターン記憶手段から会場毎の使用用途及び温度設定値を取り出して前記スケジュール表画面の所定エリアに書き込む手段と、前記快適性指標要素記憶手段から何れか１つの着衣量パターン及び活動量パターンを選択し前記スケジュール表画面の所定エリアに書き込む手段と、この書き込み後に前記受付け手段により受付けた利用時間に基づき、該当会場の利用時間帯を表すバーを作成し表示する運転スケジュール作成手段とを備えた空調制御システムである。
【００１３】
また、前記（２）に記載される構成要素に新たに、各会場ごとに前記着衣量及び活動量を除く他の快適性指標要素を検出するセンサ群と、前記センサ群から得られる快適性指標要素と前記選択された１つの着衣量パターン及び活動量パターンとを用いて、快適性指標となるＰＭＶ値を算出するＰＭＶ値算出手段と、このＰＭＶ値算出手段で算出されたＰＭＶ値に基づいて前記スケジュール表画面に書き込んだ温度設定値を修正して前記空調機に設定する手段と、前記バー表示された利用時間の経過するに従って反転または異なる色でバー表示する手段とを付加してなる空調制御システムであっても良い。
【発明の効果】
【００１４】
本発明によれば、会場の使用用途に応じて自動的に温度設定値を設定でき、快適な会場環境を確保することができる空調制御システムを提供できる。
【発明を実施するための最良の形態】
【００１５】
以下、本発明の実施形態について図面を参照して説明する。  
（第１の実施の形態）
図１は本発明に係る空調制御システムの第１の実施の形態を示す構成図である。
【００１６】
この空調制御システムは、ホテルや貸しホール会館などのフロントや管理室に設置される中央監視装置１と、この中央監視装置１から導出されるＬＡＮなどの伝送ライン２に接続される例えばフロントなどに設置されるコンピュータ（ＰＣ）３と、フロントや管理室に設置され、中央監視装置１の運転スケジュールに基づく温度設定値に従って空調温度制御を実行する空調機４と、この空調機４と各会場５ａ，…，５ｎとの間に接続され、各会場５ａ，…，５ｎ内に温度調整媒体を送りこむ空調ダクト６ａ，…，６ｎと、各会場５ａ，…，５ｎ内に設置される室内環境検知センサ群７ａ，…，７ｎとで構成されている。
【００１７】
なお、空調制御システムとしては、図２に示すような構成ものもある。すなわち、中央監視装置１側に設置される室外空調機４と各会場５ａ，…，５ｎに設置される室内機４ａ，…，４ｎとを設け、室外空調機４は、中央監視装置１から設定される各会場５ａ，…，５ｎの温度設定値と各会場５ａ，…，５ｎの室内環境検知センサ群７ａ，…，７ｎで検知される温度検知データとに基づき、各会場５ａ，…，５ｎが温度設定値となるように室内機４ａ，…，４ｎに温度指令信号を送出するシステムである。前述する何れのシステムも本発明に係る空調制御システムが適用される。以下、説明の便宜上、図１に示す空調制御システムについて説明する。
【００１８】
中央監視装置１は、必要な使用用途パターンデータ、季節パターンデータを設定し、また予約受け付けデータを入力するキーボードやマウスなどのデータ入力手段１１と、各会場の運転スケジュールを作成するプログラムデータを格納するプログラムデータ記憶部１２と、データベース１３と、ＣＰＵで構成された運転スケジュール作成処理部１４ａ及び同じくＣＰＵで構成された運転制御処理部１４ｂと、表示部１５とが設けられている。
【００１９】
前記データベース１３は、図３に示すように受付けデータ記憶部１３ａ、使用用途パターン記憶部１３ｂ、季節パターン記憶部１３ｃ、運転スケジュール画面記憶部１３ｄその他のデータ記憶部１３ｅなどからなる。
【００２０】
受付けデータ記憶部１３ａにはお客からの会場予約の受付けに基づいて入力手段１１から入力される年月日，使用用途，会場，利用時間等が記憶される。使用用途パターン記憶部１３ｂには予め会場の使用用途，例えば立食，会席，会議，結婚式ごとに最適な温度設定値データが記憶される。季節パターン記憶部１３ｃには、使用用途に応じた温度設定値データに対し、予め季節に応じた増減温度データが記憶される。なお、季節パターン記憶部１３ｃに季節ごとの最適な温度設定値データを設定した場合、逆に使用用途パターン記憶部１３ｂには使用用途ごとに増減温度データを設定しても構わない。運転スケジュール画面記憶部１３ｄには、所定のスケジュール表画面が記憶され、また各日ごとの全会場５ａ〜５ｎの使用用途、温度設定値含む利用時間帯を組み入れた運転スケジュール画面が記憶される。
【００２１】
運転スケジュール作成処理部１４ａは、受付けデータ記憶部１３ａに記憶されるデータに基づいて各日の運転スケジュール画面を作成する機能を持っている。
【００２２】
運転制御処理部１４ｂは、運転スケジュール作成処理部１４ａで作成された各年月日の運転スケジュールに従って各会場５ａ〜５ｎの利用時間帯ごとの温度設定値データを空調機４に送出する機能を持っている。
【００２３】
前記コンピュータ３は、前述したようにフロントなどに設置され、お客からの会場予約受付けに基づいて年月日，使用用途，会場，利用時間等を入力し、中央監視装置１に送信したり、或いはデータベース１３のスケジュール表画面を読み取って運転スケジュール画面を作成し、データベース１３に格納する機能を有する。
【００２４】
空調機４は、中央監視装置１から受け取る運転スケジュールに基づく各会場５ａ〜５ｎの温度設定値に従って各空調ダクト６ａ，…，６ｎに温度調整媒体を送り込む。
【００２５】
室内環境検知センサ群７ａ，…，７ｎとしては、一般的には室内温度計が用いられるが、必要に応じて後記するように室内湿度計、平均輻射温度計、気流速度計等を用いる場合もある。
【００２６】
次に、以上のような空調制御システムにおいて、各会場５ａ，…，５ｎの使用用途ごとに自動的に温度設定値を決定し運転スケジュール画面を作成する例について図４を参照して説明する。
【００２７】
フロントの受付け担当者がお客から会場５ａにおける会議予約を受けると、入力手段１１から開催年月日，使用会場（会場５ａ），使用用途（立食），利用時間（例えば１１時から１４時）データを入力し、データベース１３の受付けデータ記憶部１３ａに記憶する。
【００２８】
この状態において、運転スケジュール作成処理部１４ａは、運転スケジュール作成指示を受けると、運転スケジュール作成指示と判断し（Ｓ１）、運転スケジュール画面記憶部１３ｄから図３に示すスケジュール表画面１３ｄ（各会場５ａ，…，５ｎだけ記載された表）を呼び出して表示部１５に表示する（Ｓ２）。引き続き、運転スケジュール作成処理部１４ａは、受付けデータ記憶部１３ａに記憶される受付けデータである開催年月日を読み取ってスケジュール表画面の上段の年月日に開催年月日を書き込むか、或いは直接開催年月日が入力されると、スケジュー表画面の年月日と会場５ａとに基づいて受付けデータ記憶部１３ａから使用用途（立食）を取り出し、使用用途エリアに搬入・搬出と立食データとを行分けして書き込む（Ｓ３）。なお、搬入・搬出は使用用途に応じて準備時間及び現状復帰時間が異なるので、厳密には使用用途ごとに定めるのが好ましいが、一律の時間例えば使用用途ごとに前後１時間と定めても良い。
【００２９】
さらに、運転スケジュール作成処理部１４ａは、使用用途である「立食」に基づき、使用用途パターン記憶部１３ｂから「搬入・搬出」及び「立食」に対応する温度設定値××℃をそれぞれ取り出し、スケジュール表画面の温度設定値エリアに書き込む（Ｓ４）。このとき、季節パターンを考慮する場合、開催年月日に相当する季節に応じた増減温度を加えて運転スケジュール画面の温度設定値エリアに温度設定値××℃を書き込む。
【００３０】
さらに、運転スケジュール作成処理部１４ａは、受付けデータ記憶部１３ａの利用時間に基づき、スケジュール表画面の該当時間帯エリアに「搬入・搬出」及び「立食」に対応させてバーを引くことによって利用時間を表示し、運転スケジュール画面を作成する（Ｓ５）。
【００３１】
このようにして会場５ａの運転スケジュール画面を作成した後、同じ年月日に対する次の受付けデータがあるか否かを判断し（Ｓ６）、次受付けデータ有りの場合にはステップＳ３に戻り、同様の処理を繰り返し実行する。次受付けデータ無しの場合には作成された運転スケジュール画面をデータベース１３の運転スケジュール画面記憶部１３ｄに保存する。以降、画面表示指示と年月日とから該当する年月日の全会場の運転スケジュール画面を読み出して表示し、監視することが可能となる。
【００３２】
一方、運転制御処理部１４ｂは、運転スケジュール作成処理部１４ａとは別個に動作し、当該運転スケジュール作成処理部１４ａで作成された運転スケジュール画面と内蔵する時計とに基づいて、運転スケジュール画面から当日の会場ごと及び時間ごとに各会場の使用用途に最適な温度設定値を読み出し、空調機４に送出する。空調機４は、運転制御処理部１４ｂから送られてくる各会場の使用用途に最適な温度設定値に従い、各会場内の空調温度制御を行う。
【００３３】
従って、以上のような実施の形態によれば、受付け担当者がお客から会場予約を受付けた後、所定の受付けデータを登録することにより、会場ごとに使用用途に応じた最適な温度設定値を含む運転スケジュールを作成できる。
【００３４】
そして、作成された運転スケジュールに従い、当日の会場ごと及び時間ごとに各会場の使用用途に最適な温度設定値を用いて、各会場５ａ〜５ｎの空調温度制御を実施でき、使用用途によって暑い／寒いなどのクレームが無くなり、また過剰令・過剰暖房をなくすことによってエネルギーの削減を図ることができる。
【００３５】
（第２の実施の形態）
本発明に係る空調制御システムの第２の実施の形態について、図１、図３及び図５〜図８を参照して説明する。  
この実施の形態は、使用用途別に異なる色のバー表示を行うことにある。
【００３６】
空調制御システムの構成は、図１又は図２と同じであるので、ここでは省略する。  
データベース１３には、少なくとも図５（ａ）に示す使用用途パターン記憶部１３ｂａ、図５（ｂ）に示す例えば月単位スケジュール表画面を記憶する運転スケジュール画面記憶部１３ｄａが設けられ、さらに必要に応じて図３に示す受付けデータ記憶部１３ａや季節パターン記憶記憶部１３ｃが設けられている。使用用途パターン記憶部１３ｂａは、使用用途ごとに温度設定値及びカラーデータ（カラーコードデータ）が記憶されている。運転スケジュール画面記憶部１３ｄａに記憶される月単位スケジュール表画面は、日付け及び曜日エリアに対応して２４時間に時間枠を設けたものが望ましい。
【００３７】
図６は月単位運転スケジュール画面を作成処理する例を模式的に表した図である。  
次に、月単位スケジュール画面の作成処理例について図７を参照して説明する。
【００３８】
フロントの受付け担当者がお客から会場５ａにおける会議予約を受けると、入力手段１１から開催年月日，使用会場（会場５ａ），使用用途（立食），利用時間（例えば９：３０から１３：００）データを入力し、データベース１３の受付けデータ記憶部１３ａに記憶してもよいが、例えば運転スケジュール処理指令を入力した後、必要に応じてその都度、開催年月，使用会場（会場５ａ），利用時間，使用用途（立食）等を順次入力し，スケジュール画面を作成しても良い。以下、後者の必要なデータを順次入力し、運転スケジュール画面を作成する例について述べる。
【００３９】
すなわち、フロントの受付け担当者がお客から会場５ａにおける会議予約を受けると、運転スケジュール作成指示を入力する。そうすると、運転スケジュール作成処理部１４ａは、プログラムデータに従い、運転スケジュール作成指示と判断し（Ｓ１１）、運転スケジュール画面記憶部１３ｄａから図５（ｂ）に示す月単位スケジュール表画面を呼び出して表示部１５に表示する（Ｓ１２）。
【００４０】
引き続き、運転スケジュール作成処理部１４ａは、予約月が選択されたか否かを判断する（Ｓ１３）。図６の（イ）に示すように月エリアに記述される各月の中から特定の月，例えば９月が選択されると、予約月選択と判断し、スケジュール表画面の該当エリアに「９」を書き込む。これにより、９月の日付及び曜日を付したカレンダーに変換される。さらに、予約会場が選択されたか否かを判断する（Ｓ１４）。図６の（ロ）に示すように会場エリアに記述される会場５ａ〜５ｎの中から特定の会場，例えば会場５ａが選択されると、予約会場選択と判断し、運転スケジュール画面の該当エリアに「会場５ａ」を書き込む。なお、予約会場選択と予約月選択とは何れが先に処理するかは任意である。
【００４１】
運転スケジュール作成処理部１４ａは、会場５ａが決定された後、利用時間が入力されたか否かを判断し（Ｓ１５）、入力手段１１から利用時間が入力されてくると、予約月日に対応する時間帯エリアに利用時間に相当するバーを表示する（Ｓ１６）。
【００４２】
さらに、運転スケジュール作成処理部１４ａは、バーを表示した後に使用用途が入力されたか否かを判断する（Ｓ１７）。ここで、入力手段１１から使用用途として「立食データ」が入力されると、データベース１３の使用用途パターン記憶部１３ｂａの「立食」に対応するカラーデータを読み出し、表示されているバーをカラーコードデータに相当する色に変換し表示し（Ｓ１８）、会場５ａに関する運転スケジュール画面を作成する（図６の（ハ）参照。なお，利用時間以外に搬入・搬出時間を前後１時間付加して表示する。
【００４３】
その後、処理を継続するか判断し（Ｓ１９）、他の会場予約があれば、ステップＳ１２に移行し、新たな月カレンダーのスケジュール画面を表示し、月選択入力判断にて例えば「９」が入力されると、前述した９月の運転スケジュール画面を表示する。
【００４４】
以上のようにして会場予約に基づいて月別、かつ、会場単位の運転スケジュール画面を作成した後、データベース１３の所定のエリアに保存する。
【００４５】
一方、運転制御処理部１４ｂは、運転スケジュール作成処理部１４ａとは別個に動作し、当該運転スケジュール作成処理部１４ａで作成された運転スケジュール画面データと内蔵する時計とに基づいて、当日の会場ごと及び時間ごとにカラーバーデータに基づき、図５に示す使用用途パターン記憶部１３ｂａから図６の（ハ）に示すように最適な温度設定値を読み出し、空調機４に送出する。よって、空調機４は、運転制御処理部１４ｂから送られてくる各会場の使用用途に応じて図６の（ハ）に示す温度設定値で該当する会場内の空調温度制御を行う。
【００４６】
従って、以上のような実施の形態によれば、月別及び会場別のスケジュール表画面上に使用用途別に異なる色及び利用時間を表すバーで表示する運転スケジュール画面を作成するので、月別及び会場別の全体のスケジュール状態が一瞬に把握できる。
【００４７】
また、作成された運転スケジュールに従い、当日の会場ごと及び時間ごとに各会場の使用用途に最適な温度設定値を用いて、各会場５ａ〜５ｎの空調温度制御を実施でき、使用用途によって暑い／寒いなどのクレームが無くなり、また過剰令・過剰暖房をなくすことによってエネルギーの削減を図ることができる。
【００４８】
なお、上記実施の形態では、各必要データを順次入力手段１１から入力したが、第１の実施の形態で説明したように、予め受付けデータ記憶部１３ａに格納した後、受付けデータ記憶部１３ａに格納されたデータを用いて図７に示す手順にて自動的に運転スケジュール画面を作成することができる。
【００４９】
（第３の実施の形態）
一般に、人間の快適な室内温熱環境を確保するには、人間が感じる暑さや寒さの温熱感覚を考慮することが重要であり、この温熱感覚に影響を与える快適性指標としては、室内温度，相対湿度，平均輻射温度，気流速度，着衣状態，活動状態（人体の内部発熱量）の６つの変数が挙げられる。
【００５０】
人間の発熱量は、対流による放射量、輻射による放熱量、人からの蒸発熱量、呼吸による放熱量および蓄熱量の合計であって、これらの熱平衡式が成立している場合には人体が熱的に中立の状態にあり、暑くも寒くもない快適な状態にあると言える。逆に、熱平衡式がくずれた場合には人体が暑さ・寒さを感じる。
【００５１】
このような熱平衡式に基づく人間の温熱感覚指標として、代表的なものに、ＰＭＶ（Ｐｒｅｄｉｃｔｅｄ  Ｍｅａｎ  Ｖｏｔｅ：予測平均回答）がある。このＰＭＶは、１９６７年，デンマーク工科大学のＦａｎｇｅｒ教授により提案された快適方程式が出発点となり、多数の欧米被験者から採取したアンケートを統計分析し、人体の熱負荷と人間の温冷感との関係に結び付けることにより、次の７段階評価尺度による数値で表現されたものであり、快適性指標とも呼ばれている。
【００５２】
＋３  ：  暑い
＋２  ：  暖かい
＋１  ：  やや暖かい
０  ：  どちらでもない、快適
−１  ：  やや涼しい
−２  ：  涼しい
−３  ：  寒い
なお、人間の快適性範囲は−０．５〜＋０．５の範囲とされている。
【００５３】
ところで、前述した６つの変数のうち、作業強度を表す活動状態は、通常，代謝量を表す単位ｍｅｔが用いられ、
１ｍｅｔ＝５８．２W／ｍ2＝５０ｋｃａｌ／ｍ2・ｈ
で表される。このｍｅｔ（メット）は、熱的に快適な状態における安静時の代謝を基準とする。
【００５４】
一方、着衣状態は、衣服の熱絶縁性を表すｃｌｏの単位が用いられ、１ｃｌｏとは、気温２１℃，相対湿度５０％，気流５ｃｍ／ｓ以下の室内において体表面からの放熱量が１ｍｅｔの代謝と平衡するような着衣状態の値であって、通常の熱抵抗値に換算すると、
１ｃｌｏ＝０．１５５ｍ2・℃／W＝０．１８ｍ2・ｈ・℃／ｋｃａｌ
で表される。
【００５５】
すなわち、快適性指標値であるＰＭＶは、実際の代謝量、着衣条件下において、環境との間の熱の不平衡量を前記快適方程式を用いて人体に対する熱負荷Ｌ（Ｋｃａｌ／ｍ2・ｈ）として求め、この熱負荷と人間の温冷感とを結び付けたものである。
【００５６】
そこで、本実施の形態においては、快適性指標ＰＭＶを用いて、各会場の温度設定値を決定し、運転スケジュール画面を作成することにある。
【００５７】
空調制御システムの構成は、図１又は図２と同じであるので、ここでは省略する。データベース１３には、図３に示す受付けデータ記憶部１３ａ，使用用途パターン記憶部１３ｂの他、図８に示す着衣量パターン記憶部１３ｆ及び活動量パターン記憶部１３ｇが設けられ、さらに運転スケジュール画面記憶部１３ｄには図９に相当する会場予定状況の管理を含むスケジュール表画面が格納されている。着衣量パターン記憶部１３ｆには予め会場にて着衣される着衣量パターン，例えば夏服、春秋服、冬服等のパターンデータが格納され、また活動量パターン記憶部１３ｇには予め会場にて活動される活動量パターン，例えば歩行、事務等のパターンデータが格納される。
【００５８】
また、各会場５ａ，…，５ｎにはそれぞれ室内環境検知センサ群７ａ，…，７ｎとして、室内温度計だけでなく、室内湿度計、平均輻射温度計、気流速度計が設置され、各センサ群７ａ，…，７ｎで検知された測定データを中央監視装置１に送出する。
【００５９】
その他は、図１又は図２同様な構成であるので、ここではその説明を省略する。
【００６０】
（１）  運転スケジュール作成処理例について。
【００６１】
以上のような空調制御システムにおいて、運転スケジュールを作成する処理例について図１０を参照して説明する。
【００６２】
フロントの受付け担当者がお客から会場５ａにおける会議予約を受けると、入力手段１１から開催年月日，使用会場（会場５ａ），使用用途（立食），利用時間（例えば１０時から１２時）データを入力し、データベース１３の受付けデータ記憶部１３ａに記憶する。
【００６３】
この状態において、運転スケジュール作成処理部１４ａは、運転スケジュール作成指示を受けると、運転スケジュール作成指示と判断し（Ｓ２１）、運転スケジュール画面記憶部１３ｄから図９に示すスケジュール表画面を呼び出して表示部１５に表示する（Ｓ２２）。
【００６４】
引き続き、運転スケジュール作成処理部１４ａは、受付けデータ記憶部１３ａに記憶される受付けデータである開催年月日を読み取ってスケジュール表画面の上段の年月日に開催年月日を書き込むか、或いは入力手段１１から直接開催年月日が入力されると、同様に開催年月日を書き込む。しかる後、運転スケジュール作成処理部１４ａは、スケジュール画面の年月日と会場５ａとに基づいて受付けデータ記憶部１３ａから使用用途（立食）を取り出し、使用用途エリアに搬入・搬出と立食データとを行分けして書き込む（Ｓ２３）。ここで、使用用途ガ決定されると、使用用途パターン記憶部１３ｂから温度設定値を取り出し、スケジュール表画面の所定エリアに書込む（Ｓ２４）。
【００６５】
さらに、運転スケジュール作成処理部１４ａは、メッセージ表示に従い、着衣量パターン記憶部１３ｆ及び活動量パターン記憶部１３ｇから１つの着衣量パターン及び１つの活動量パターンを選択し、該当エリアに着衣量パターン及び活動量パターンを書込む（Ｓ２５〜Ｓ２８）。
【００６６】
運転スケジュール作成処理部１４ａは、受付けデータ記憶部１３ａに記憶される利用時間に基づき、スケジュール表画面の時間帯エリアに利用時間に相当するバーを表示する（Ｓ２９）。
【００６７】
このようにして会場５ａの運転スケジュール画面を作成した後、同じ年月日に対する次の受付けデータがあるか否かを判断し（Ｓ３０）、次受付けデータ有りの場合にはステップＳ２３に戻り、同様の処理を繰り返し実行する。次受付けデータ無しの場合には作成された運転スケジュール画面をデータベース１３の運転スケジュール画面記憶部１３ｄに保存する（Ｓ３１）。以降、画面表示指示と年月日とから該当する年月日の全会場の運転スケジュール画面を読み出して表示し、監視することが可能となる。
【００６８】
（２）  空調制御について。
【００６９】
会場利用当日になると、運転スケジュール作成処理部１４ａは、監視指示に基づいて当日の運転スケジュール画面を表示し、定期的に各会場５ａ，…，５ｎに設置される室内環境検知センサ群７ａ，…，７ｎから室内温度，相対湿度，平均輻射温度，気流速度等を取り込み運転スケジュール画面に設定される着衣量及び活動量のパターンを用い、従来周知の快適方程式に基づき、快適性指標となるＰＭＶを算出し、運転スケジュール画面の所定エリアに書込むとともに、算出されたＰＭＶに基づいて既に設定される温度設定値を修正し、室内の環境に合った快適な温度に設定し、運転スケジュール画面記憶部１３ｄに保存する。
【００７０】
一方、運転制御処理部１４ｂは、運転スケジュール作成処理部１４ａとは別個に動作し、当該運転スケジュール作成処理部１４ａで作成された運転スケジュール画面と内蔵する時計とに基づいて、各会場ごとに利用時間帯に到達すると、運転スケジュール画面に設定されている修正された温度設定値を会場識別データとともに空調機４に設定する。空調機４は、運転制御処理部１４ｂから設定された修正された温度設定値に従って各会場５ａ〜５ｎの空調温度を制御する。
【００７１】
このとき、運転制御処理部１４ｂ又は運転スケジュール作成処理部１４ａは、利用時間帯に到達した後、時間が経過していくと、時間経過に伴う過去の時間を表すバーを反転または予め指定された色バーに変換し表示すれば、各会場の利用時間を容易に把握可能に表示することができる。
【００７２】
従って、この実施の形態によれば、前述した実施の形態と同様の効果を奏する他、着衣状態及び活動状態を定義した運転スケジュール画面を作成し、各会場利用当日になると、定期的に会場の環境状態を取り込んで、使用用途に応じたＰＭＶ値を算出し、予め設定された温度設定値を修正し、各会場の空調温度を制御するので、各会場の使用用途による体感の違いによる温度の影響をなくし、常に快適な会場の雰囲気を作り出すことができる。
【００７３】
さらに、各会場の利用時間の経過とともに、バーを色変え表示するので、各会場の利用時間を一瞬に把握でき、監視員の負担を大幅に軽減できる。
【００７４】
なお、上記実施の形態では、当日の会場の環境雰囲気に応じてＰＭＶ値を算出し、温度設定値を修正するようにしたが、過去の経験等に基づき、予め使用用途と着衣状態と活動状態とからＰＭＶ値を算出し、スケジュール表画面を温度設定値を設定してもよい。この場合には、各会場の室内環境検知センサ群７ａ，…，７ｎが不要になる。
【００７５】
その他、本発明は、上記実施の形態に限定されるものでなく、その要旨を逸脱しない範囲で種々変形して実施できる。また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【図面の簡単な説明】
【００７６】
【図１】本発明に係る空調制御システムの一実施の形態を示す構成図。
【図２】本発明に係る空調制御システムの他の実施の形態を示す構成図。
【図３】中央監視装置のデータベースに記憶されるデータ配列例を示す図。
【図４】第1の実施の形態における運転スケジュール作成処理部の処理手順を説明するフローチャート。
【図５】中央監視装置のデータベースに記憶される一部のデータ配列例を示す図。
【図６】第２の実施の形態における空調制御システムの構成図。
【図７】第２の実施の形態における運転スケジュール作成処理部の処理手順を説明するフローチャート。
【図８】第３の実施形態における中央監視装置のデータベースに格納される一部のデータ配列例を示す図。
【図９】第３の実施の形態における運転スケジュール作成処理部で作成された運転スケジュール画面例を示す図。
【図１０】第３の実施の形態における運転スケジュール作成処理部の処理手順を説明するフローチャート。
【符号の説明】
【００７７】
１…中央監視装置、２…伝送ライン、３…コンピュータ（ＰＣ）、４…空調機、５ａ〜５ｎ…会場、７ａ〜７ｎ…室内環境検知センサ群、１１…入力手段、１３…データベース、１４ａ…運転スケジュール作成処理部、１４ｂ…運転制御処理部。
【図１】
2008170065.tif 000003
【図２】
2008170065.tif 000004
【図３】
2008170065.tif 000005
【図４】
2008170065.tif 000006
【図５】
2008170065.tif 000007
【図６】
2008170065.tif 000008
【図７】
2008170065.tif 000009
【図８】
2008170065.tif 000010
【図９】
2008170065.tif 000011
【図１０】
2008170065.tif 000012